(57)【要約】【課題】アナログテレビ放送の受信回路入力側及びこの受信回路入力側に接続されたデジタルテレビ放送の受信処理に必要な表面弾性波フィルタ部（ＳＡＷフィルタ部）のノイズを極力低減する。【解決手段】シールド筐体に収容されたチューナモジュール２ｂの回路基板に、受信した選局チャンネルのテレビ放送信号の高周波処理、中間周波数変換処理を行うＲＦ・ＩＦ変換回路部２１ｂと、ＲＦ・ＩＦ変換回路部２１ｂの出力信号に通過帯域制限のフィルタ処理を施してアナログテレビ放送の受信回路２３ｂに供給するバンドパスフィルタ（ＢＰＦ）部２２ｂと、その出力信号に通過帯域制限のフィルタ処理及びＡＧＣ増幅を施してデジタルテレビ放送の復調回路５１ｂに供給するＳＡＷフィルタ部２４ｂとを配設し、アナログテレビ放送の受信回路２３ｂの入力側及びＳＡＷフィルタ部２４ｂをシールドしつつモジュール間の配線の引き回しをなくして接続配線を短くする。【選択図】図２
2008085879.tif 000002
【特許請求の範囲】
【請求項１】
受信した選局チャンネルのテレビ放送信号を、高周波受信処理、中間周波数変換処理及び通過帯域制限のフィルタ処理を施してアナログテレビ放送の受信回路及びデジタルテレビ放送の復調回路に供給し、アナログテレビ放送及びデジタルテレビ放送を受信処理するテレビ放送受信装置において、シールド筐体に収容されたチューナモジュールの回路基板に、前記高周波処理、前記中間周波数変換処理を行う高周波処理部と、前記高周波処理部の次段回路を形成し、前記高周波処理部の出力信号に通過帯域制限のフィルタ処理を施すバンドパスフィルタ部と、前記バンドパスフィルタ部の出力信号が入力される前記アナログテレビ放送の受信回路と、前記バンドパスフィルタ部の出力信号に通過帯域制限のフィルタ処理及びＡＧＣ増幅を施して次段モジュールの前記デジタルテレビ放送の復調回路に出力する表面弾性波フィルタ部とを配設し、前記アナログテレビ放送の受信回路の入力側及び前記表面弾性波フィルタ部をシールドしつつ接続配線を短くするようにしたことを特徴とするテレビ放送受信装置。
【請求項２】
前記回路基板の前記高周波処理部、前記バンドパスフィルタ部、前記アナログテレビ放送の受信回路、前記表面弾性波フィルタ部は、シールド板で仕切られていることを特徴とする請求項１記載のテレビ放送受信装置。
【請求項３】
前記バンドパスフィルタ部は、信号通過帯域が制限されて前記デジタルテレビ放送の受信回路の初段入力フィルタを形成し、前記表面弾性波フィルタ部は、デジタルテレビ放送の受信回路の終段入力フィルタを形成する１段の表面弾性波フィルタであることを特徴とする請求項１又は２に記載のテレビ放送受信装置。
【発明の詳細な説明】
【技術分野】
【０００１】
本発明は、アナログテレビ放送及びデジタルテレビ放送を受信処理するテレビ放送受信装置に関し、詳しくは、アナログテレビ放送の受信回路入力側及びこの受信回路入力側に接続されたデジタルテレビ放送の受信処理に必要な表面波弾性フィルタ部のノイズ低減構造に関する。
【背景技術】
【０００２】
従来、いわゆるテレビ受信機やビデオテープレコーダ、ＤＶＤレコーダ、ＨＤ（ハードディスク）レコーダ等の映像記録装置に組み込まれるテレビ放送受信装置には、例えばＮＴＳＣのアナログテレビ放送と、北米のＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送や我が国の地上波デジタル放送のようなデジタルテレビ放送との両方の受信処理を行うものがある。
【０００３】
そして、前記アナログテレビ放送と前記デジタルテレビ放送の受信処理を行うテレビ放送受信装置は、概略図５に示すように構成される。
【０００４】
図５のテレビ放送受信装置は、アンテナ１ａの次段のチューナモジュール２ａと、表面弾性波フィルタ（以下、表面弾性波フィルタをＳＡＷフィルタという）モジュール３と、独立したモジュール構成のアナログテレビ放送の受信回路４と、デジタルテレビ放送の復調回路５１ａを含む終段モジュール５ａとからなり、各モジュール２ａ、３、４、５ａはそれぞれシールドされた個別の基板ユニットからなる。
【０００５】
そして、チューナモジュール２ａは、受信した選局チャンネルのテレビ放送信号に高周波受信処理、中間周波数変換処理を施すＲＦ・ＩＦ変換回路部２１ａ及び、アナログのバンドパスフィルタ（以下、バンドパスフィルタをＢＰＦという）部２２ａからなり、アナログテレビ放送又はデジタルテレビ放送の選局されたチャンネルのテレビ放送信号（ＲＦ信号）が、アンテナ１ａからチューナモジュール２ａのＲＦ・ＩＦ変換回路部２１ａに入力され、該ＲＦ・ＩＦ変換回路部２１ａはテレビ放送信号に高周波増幅の高周波受信処理及び中間周波数変換処理を順に施し、テレビ放送信号を中間周波数の信号（以下、ＩＦ信号という）に変換する。
【０００６】
そして、ＩＦ信号はＢＰＦ部２２ａにより、アナログテレビ放送及びデジタルテレビ放送の情報を損ねないように、図６（ａ）の十分な広帯域の帯域制限特性でフィルタ処理が施される。尚、北米のアナログテレビ放送及びデジタルテレビ放送を受信する場合は、図６（ａ）の通過帯域の中心周波数ｆｃは例えば４４ＭＨｚであり、上限周波数、下限周波数は、α＝３ＭＨｚとするｆｃ＋α、ｆｃ−αである。
【０００７】
ＢＰＦ部２２ａのフィルタ処理後のＩＦ信号はアナログテレビ放送の受信回路４に供給され、アナログ放送のチャンネルが選択されているときは、当該受信回路４が、入力されたＩＦ信号に例えば周知のＮＴＳＣテレビ放送の受信処理を施して選択されたチャンネルのアナログの受信復調信号を再生出力する。
【０００８】
そして、後段の映像・音声の処理をデジタル的に行なう場合は、アナログテレビ放送の受信回路４のアナログの受信復調信号が終段モジュール５ａのＡ／Ｄ変換回路５２ａでデジタル信号に変換され、このデジタル信号はデジタル処理回路５３ａの映像、音声のデジタルの増幅や特性調整等が施された後、表示処理や音声出力処理のモジュール（図示せず）に送られる。
【０００９】
ところで、ＢＰＦ２２ａ部のフィルタ処理後のＩＦ信号はＳＡＷフィルタモジュール３にも供給される。
【００１０】
ＳＡＷフィルタモジュール３は２段のＳＡＷフィルタ３１、３２のＳＡＷフィルタ部を形成し、例えば図６（ｂ）のＳＡＷフィルタ３１の帯域特性と同図（ｃ）のＳＡＷフィルタ３２の通過帯域特性との組み合わせにより、入力されたＩＦ信号に急峻な遮断特性の帯域制限を施し、帯域制限後のＩＦ信号をＡＧＣ（自動利得制御）アンプ３３を通して終段モジュール５ａのデジタルテレビ放送の復調回路５１ａに供給する。
【００１１】
そして、デジタルテレビ放送の復調回路５１ａは、入力されたＩＦ信号にＡＴＳＣ放送や我が国の地上波デジタル放送の周知の復調処理を施し、選択されたチャンネルのデジタル放送の映像、音声のデジタル信号を再生してデジタル処理回路５３ａに出力し、デジタル放送の映像、音声のデジタル信号は、デジタル処理回路５３ａで同様の増幅や特性調整等が施された後、表示処理や音声出力処理のモジュールに送られる。
【００１２】
そして、上述の北米のアナログテレビ放送及びデジタルテレビ放送を受信するテレビ放送受信装置においては、上記した図５の構成のように、デジタルテレビ放送の受信回路の前段にＳＡＷフィルタモジュール３を備え、デジタルテレビ放送の受信回路の入力信号に２段のＳＡＷフィルタ処理を施すことが一般的に行なわれている（例えば、特許文献１参照。）。
【特許文献１】特開２００２−１５８５９４号公報（要約書、［０００２］−［００１０］、図３等）
【発明の開示】
【発明が解決しようとする課題】
【００１３】
前記図５の従来装置において、アナログテレビ放送の受信回路４の入力側は、信号感度が高く、終段モジュール５ａのデジタルテレビ放送の復調回路５１ａやデジタル処理回路５３ａのデジタル回路からのノイズの影響を受け易い。そのため、アナログテレビ放送の受信画面にいわゆるビートノイズが発生し易いことが知られている。
【００１４】
又、デジタルテレビ放送の受信処理に必要なＳＡＷフィルタ３１、３２、ＡＧＣアンプ３３の構成のＳＡＷフィルタ部（ＳＡＷフィルタモジュール３）についても、同様のノイズの影響を受け易い部分であり、ノイズの影響を考慮すると、感度を低下せざるを得ないことが知られている。
【００１５】
一方、図５の従来装置のようにデジタルテレビ放送のフィルタ処理に２段のＳＡＷフィルタ３１、３２を使用する場合、ＳＡＷフィルタ３１、３２は大型の部品であり、その部品を２個も基板に実装するにはかなり大きなスペースが必要になる。
【００１６】
そして、従来は図５に示したように、チューナモジュール２ａと別個に、アナログテレビ放送の受信回路４のモジュール及びＳＡＷフィルタモジュール３を備え、ＲＦ・ＩＦ変換回路部２１ａ、ＢＰＦ部２２ａと、ＳＡＷフィルタ３１、３２、ＡＧＣアンプ３３と、アナログテレビ放送の受信回路４とを別個のモジュールに収容して別々にシールドし、上述のノイズの影響を極力低減するようにしている。
【００１７】
しかしながら、前記したようにチューナモジュール２ａと別個に、アナログテレビ放送の受信回路４のモジュール及びＳＡＷフィルタモジュール３を備える場合、モジュール間の信号線の引き回しが長くなり、チューナモジュール２ａからアナログテレビ放送の受信回路４、ＳＡＷフィルタ３１へのＩＦ信号経路の引き回しが長くなるので、十分なノイズ低減が図られない問題がある。
【００１８】
本発明は、アナログテレビ放送及びデジタルテレビ放送を受信処理するテレビ放送受信装置において、アナログテレビ放送の受信回路入力側及びこの受信回路入力側に接続されたデジタルテレビ放送の受信処理に必要なＳＡＷフィルタ部のノイズを極力低減することを目的とする。
【課題を解決するための手段】
【００１９】
上記した目的を達成するために、本発明のテレビ放送受信装置は、受信した選局チャンネルのテレビ放送信号を、高周波受信処理、中間周波数変換処理及び通過帯域制限のフィルタ処理を施してアナログテレビ放送の受信回路及びデジタルテレビ放送の復調回路に供給し、アナログテレビ放送及びデジタルテレビ放送を受信処理するテレビ放送受信装置において、シールド筐体に収容されたチューナモジュールの回路基板に、前記高周波処理、前記中間周波数変換処理を行う高周波処理部と、前記高周波処理部の次段回路を形成し、前記高周波処理部の出力信号に通過帯域制限のフィルタ処理を施すバンドパスフィルタ部と、前記バンドパスフィルタ部の出力信号が入力される前記アナログテレビ放送の受信回路と、前記バンドパスフィルタ部の出力信号に通過帯域制限のフィルタ処理及びＡＧＣ増幅を施して次段モジュールの前記デジタルテレビ放送の復調回路に出力する表面弾性波フィルタ部とを配設し、前記アナログテレビ放送の受信回路の入力側及び前記表面弾性波フィルタ部をシールドしつつ接続配線を短くするようにしたことを特徴としている（請求項１）。
【００２０】
又、請求項１に記載のテレビ放送受信装置において、前記回路基板の前記高周波処理部、前記ＢＰＦ部、前記アナログテレビ放送の受信回路、前記ＳＡＷフィルタ部は、シールド板で仕切られていることを特徴としている（請求項２）。
【００２１】
更に、請求項１又は２に記載のテレビ放送受信装置において、前記ＢＰＦ部は、信号通過帯域が制限されて前記デジタルテレビ放送の受信回路の初段入力フィルタを形成し、前記ＳＡＷフィルタ部は、デジタルテレビ放送の受信回路の終段入力フィルタを形成する１段のＳＡＷフィルタであることを特徴としている（請求項３）。
【発明の効果】
【００２２】
請求項１のテレビ放送受信装置によれば、シールドされたチューナモジュールに、高周波処理部からアナログテレビ放送の受信回路に至る各回路部及び、ＢＰＦ部の出力信号に通過帯域制限のフィルタ処理及びＡＧＣ増幅を施して次段モジュールのデジタルテレビ放送の復調回路に出力するＳＡＷフィルタ部を収容するため、アナログテレビ放送の受信回路の入力側及びＳＡＷフィルタ部を全体にシールドすることができ、従来のようなモジュール間の信号線の引き回しが不要になる。
【００２３】
そのため、アナログテレビ放送の受信回路の入力側の十分なノイズ低減を図ることができる。又、アナログテレビ放送の受信回路入力側に接続されたＳＡＷフィルタ部のノイズも同時に低減することができる。
【００２４】
請求項２のテレビ放送受信装置によれば、チューナモジュールの前記高周波処理部、ＢＰＦ部、アナログテレビ放送の受信回路、ＳＡＷフィルタ部がシールド板で仕切られるため、チューナモジュール内に集約的に配設された回路部間の信号に対する距離が等価的に長くなり、それらの回路部相互間の影響が低減されて前記ノイズの影響が一層少なくなる。
【００２５】
請求項３のテレビ放送受信装置によれば、ＢＰＦ部が従来の１段目のＳＡＷフィルタとして作用し、ＳＡＷフィルタ部が１段（１個）のＳＡＷフィルタで形成され、この場合、チューナモジュールの回路基板に大型の部品であるＳＡＷフィルタを１個だけ設ければよく、チューナモジュールの小型が図られる効果も生じる。
【発明を実施するための最良の形態】
【００２６】
つぎに、本発明をより詳細に説明するため、その実施形態について、図１〜図４にしたがって詳述する。
【００２７】
図１は例えば北米のアナログテレビ放送及びデジタルテレビ放送を受信するテレビ放送受信装置のブロック図、図２は図１のテレビ放送受信装置のチューナモジュールのシールド構造を説明する平面図、図３はテレビ放送受信装置のチューナモジュールのフィルタ特性の説明図、図４はチューナモジュールの他のシールド構造を説明する平面図である。
【００２８】
図１のテレビ放送受信装置は、アンテナ１ｂに入力端子２ｉｎが接続されたチューナモジュール２ｂと、その後段の終段モジュール５ｂとからなる。
【００２９】
そして、アンテナ１ｂは図５のアンテナ１ａと同様の構成である。
【００３０】
又、図５のチューナモジュール２ａに対応するチューナモジュール２ｂは、ＲＦ・ＩＦ変換回路部２１ｂ、ＢＰＦ部２２ｂ、アナログテレビ放送の受信回路２３ｂ及び、ＳＡＷフィルタ部２４ｂ、ＡＧＣアンプ２５ｂを、シールドされた共通の基板回路に配設して形成される。
【００３１】
そして、アンテナ１ｂに接続されたＲＦ・ＩＦ変換回路部２１ｂは図５のＲＦ・ＩＦ変換回路部２１ａと同一の構成であり、詳しくは、図２に示すハイパスフィルタ及びバンドパスフィルタ等からなるＲＦフィルタ部２１ｂαと、選局回路部２１ｂβとからなり、受信した選局チャンネルのテレビ放送信号の高周波処理、中間周波数変換処理を行う高周波処理部を形成する。
【００３２】
又、ＢＰＦ部２２ｂは図５のＢＰＦ部２２ａに対応するが、その通過帯域は、ＢＰＦ部２２ａのように過度に広帯域化するのではなく、アナログテレビ放送及びデジタルテレビ放送の情報が通過する範囲で狭帯域化される。
【００３３】
具体的には、フィルタ定数の選定等に基づき、ＢＰＦ部２２ｂの通過帯域は図３（ａ）に示すように設定され、この通過帯域の特性は、図６（ａ）のＢＰＦ部２２ａの通過帯域の特性と比較して、上、下限の減衰特性が急峻で中心周波数ｆｃを含む平坦部の通過帯域幅が次のように狭くなっている。
【００３４】
すなわち、北米仕様の場合、中心周波数ｆｃは４４ＭＨｚであり、通過帯域幅は従来は６ＭＨｚであるが、実験等によると、アナログテレビ放送、デジタルテレビ放送のＩＦ信号に含まれる情報の隣接チャンネル妨害等の影響を排除する実用的な通過帯域幅は５ＭＨｚ程度で十分である。
【００３５】
そこで、ＢＰＦ部２２ｂの上限周波数ｆｃ＋α（＝４７ＭＨｚ）、下限周波数ｆｃ−α（＝４１ＭＨｚ）における減衰特性を次の表１のように、従来のＢＰＦ２２ａの減衰特性より急峻にする。
【００３６】
【表１】
2008085879.tif 000003
【００３７】
このように設定することで、図５のＢＰＦ部２２ａの通過帯域幅が略６ＭＨｚであるのに対して、ＢＰＦ部２２ｂの通過帯域幅は５ＭＨｚ程度に狭くなる。
【００３８】
この結果、図３（ａ）のＢＰＦ部２２ｂのフィルタ特性は、図６（ｂ）の従来装置の１段目のＳＡＷフィルタ３１の通過帯域幅５ＭＨｚのフィルタ特性と略同様になり、ＢＰＦ部２２ｂが従来装置のＳＡＷフィルタモジュール３の１段目のＳＡＷフィルタ３１として作用する。
【００３９】
そして、ＢＰＦ部２２ｂのフィルタ処理後のＩＦ信号はアナログテレビ放送の受信回路２３ｂに供給され、アナログ放送のチャンネルが選択されているときは、受信回路２３ｂが、入力されたＩＦ信号に受信処理を施して選択されたチャンネルのアナログの受信復調信号を再生出力する。
【００４０】
次に、ＢＰＦ部２２ｂの次段のＳＡＷフィルタ部２４ｂはＢＰＦ部２２ｂのフィルタ特性との組み合わせによって急峻な遮断特性でデジタルテレビ放送の情報を抽出するため、図５のＳＡＷフィルタ３２と略同じフィルタ特性、具体的には図６（ｃ）の特性に略等しい図３（ｂ）のフィルタ特性の１段のＳＡＷフィルタで小型かつ安価に形成される。尚、図３のβは数チャンネル離れた帯域である。
【００４１】
そして、ＢＰＦ部２２ｂとＳＡＷフィルタ部２４ｂの総合のフィルタ特性は、図３（ｃ）に示すようになり、図６（ｄ）の２段のＳＡＷフィルタ３１、３２の総合のフィルタ特性と略同じになる。
【００４２】
そのため、デジタル放送のチャンネルが選択されているときは、ＢＰＦ部２２ｂ、ＳＡＷフィルタ部２４ｂで図５の従来装置と同様にフィルタ処理された後のＩＦ信号が、図５のＡＧＣアンプ３３に相当するＡＧＣアンプ２５ｂを介して終段モジュール５ｂのデジタルテレビ放送の復調回路５１ｂに供給される。
【００４３】
尚、終段モジュール５ｂは図５の終段モジュール５ａの復調回路５１ａ、Ａ／Ｄ変換部５２ａ、デジタル処理回路５３ａと同一の復調回路５１ｂ、Ａ／Ｄ変換部５２ｂ、デジタル処理回路５３ｂが設けられ、終段モジュール５ａと同様に動作する。
【００４４】
そして、チューナモジュール２ｂはアルミ、鋼板等のシールド筐体に回路基板を収容し、この回路基板に図２に示すように各回路部２１ｂα、２１ｂβ、２２ｂ、２３ｂ、２４ｂ、２５ｂが配設され、このとき、各回路部２１ｂα、２１ｂβ、２２ｂ、２３ｂ、２４ｂ、２５ｂの結線は回路基板のパターン配線で行なわれて極めて短くなる。
【００４５】
この場合、信号感度の高いアナログテレビ放送の受信回路２３ｂの入力側及び、信号感度が高いデジタルテレビ放送の信号入力部としてのＡＧＣアンプ２５ｂを含むＳＡＷフィルタ部２４ｂを全体にシールドすることができ、従来のようなモジュール間の信号線の引き回しが不要になり、アナログテレビ放送の受信回路２３ｂの入力側のノイズの影響を十分に排除して低減することができるとともに、ＳＡＷフィルタ部２４ｂのノイズの影響も十分に排除して低減することができる。
【００４６】
しかも、ＳＡＷフィルタ部２４ｂが大型で高価なＳＡＷフィルタを１個設けた構成であり、チューナモジュール２ｂにアナログテレビ放送の受信回路２３ｂやＡＧＣアンプ２５ｂを含むＳＡＷフィルタ部２４ｂを設けても、チューナモジュール２ｂは、余り大きくならず、小型で背の低い（厚みの薄い）筐体形状に形成される。
【００４７】
そして、チューナモジュール２ｂの回路基板を両面に部品実装可能な両面基板で形成し、各回路部２１ｂα、２１ｂβ、２２ｂ、２３ｂ、２４ｂ、２５ｂを基板の両面に部品を実装して部品実装密度を高くしたところ、チューナモジュール２ｂは、基板の片面に部品を実装して形成された図５の従来のチューナモジュール２ａより小型で背の低い形状に形成できることが判明した。
【００４８】
ところで、上述したように部品実装密度を高くした場合、回路部２１ｂα、２１ｂβ、２２ｂ、２３ｂ、２４ｂ、２５ｂの間隔が狭くなり、回路部２１ｂα、２１ｂβ、２２ｂ、２３ｂ、２４ｂ、２５ｂ間の信号干渉等に基づくノイズの影響が問題となる。特に、デジタル放送受信用のＩＦ信号のＡＧＣアンプ２５ｂは、終段モジュール５ｂのデジタルテレビ放送の復調回路５１ｂに直接接続されるのでそのラインからデジタル系のノイズが漏洩入力し、近くに配置されたアナログテレビ放送の受信回路２３ｂにそのノイズの影響を与える。
【００４９】
そこで、本実施形態においては、図２に示すように、回路部２１ｂα、２１ｂβ、２２ｂ、２３ｂ、２４ｂ、２５ｂ間をグランドパターンアースされたアルミ板等からなる各シールド板Ｓでブロック状に仕切り、等価的に回路部２１ｂα、２１ｂβ、２２ｂ、２３ｂ、２４ｂ、２５ｂ間のノイズに対する信号距離を長くし、回路部２１ｂα、２１ｂβ、２２ｂ、２３ｂ、２４ｂ、２５ｂを相互に離して設けなくても、回路部２１ｂα、２１ｂβ、２２ｂ、２３ｂ、２４ｂ、２５ｂ間でノイズの影響を受けないようにする。
【００５０】
このようにすることで、上述したようにチューナモジュール２ｂの回路基板を両面基板で形成し、各回路部２１ｂα、２１ｂβ、２２ｂ、２３ｂ、２４ｂ、２５ｂを、基板の両面に部品を実装して高い部品実装密度で回路基板に設けてもノイズの影響が問題にならず、チューナモジュール２ｂを、極めて小型で背の低い形状でアナログテレビ放送の受信回路２３ｂやＡＧＣアンプ２５ｂを含むＳＡＷフィルタ部２４ｂを設けて形成し、ノイズの影響を受けないようにすることができる。しかも、ＳＡＷフィルタは１個設ければよく、チューナモジュール２ｂは小型であるだけでなく安価になる。
【００５１】
したがって、本実施形態の場合は、回路部２１ｂα、２１ｂβ、２２ｂ、２３ｂ、２４ｂ、２５ｂをチューナモジュール２ｂのシールド筐体内の回路基板に設け、しかも、各回路部２１ｂα、２１ｂβ、２２ｂ、２３ｂ、２４ｂ、２５ｂを各シールド板Ｓで仕切ることにより、アナログテレビ放送の受信回路２３ｂの入力側の十分なノイズ低減を図ることができると共に、ＳＡＷフィルタ部２４ｂのノイズも同時に低減することができる、従来より小型で背が低く安価な新規なチューナモジュール２ｂを提供することができ、このチューナモジュール２ｂを備えた小型で安価かつＳ／Ｎの高いこの種のテレビ放送受信装置を実現することができる。
【００５２】
そして、本発明は上述した実施形態に限定されるものではなく、その趣旨を逸脱しない範囲において上述したもの以外に種々の変更を行うことが可能であり、例えば、各回路部２１ｂα、２１ｂβ、２２ｂ、２３ｂ、２４ｂ、２５ｂ間の距離がノイズに対して問題とならないような場合は、各シールド板Ｓによる全部又は一部の仕切りを省いてチューナモジュール２ｂを形成してもよく、具体的には、例えば図４に破線に示すようにＳＡＷフィルタ部２４ｂ、ＡＧＣアンプ２５ｂの前記仕切りを省き、アナログテレビ放送の受信回路２３ｂとＳＡＷフィルタ部２４ｂ、ＡＧＣアンプ２５ｂとを１つのブロックとしてシールド板Ｓで仕切り、チューナモジュール２ｂを形成してもよい。又、場合によっては、ＳＡＷフィルタ部２４ｂが２段のＳＡＷフィルタで形成されていてもよい。尚、図４においては、回路デザイン上等から、ＢＰＦ部２２ｂの配置等も若干図２から変更している。
【００５３】
又、チューナモジュール２ｂの回路基板において、各回路部２１ｂα、２１ｂβ、２２ｂ、２３ｂ、２４ｂ、２５ｂの配置や大きさ等は、前記実施形態に限るものではない。
【００５４】
そして、本発明は、種々のアナログテレビ放送とデジタルテレビ放送の受信処理機能を有するテレビ放送受信装置に適用することができる。
【図面の簡単な説明】
【００５５】
【図１】本発明の１実施形態におけるテレビ放送受信装置の回路構成を示すブロック図である。
【図２】同上、チューナモジュールのシールド構造を説明する平面図である。
【図３】同上、ＢＰＦ部及びＳＡＷフィルタ部の周波数特性図であり、（ａ）はＢＰＦ部の特性を示し、（ｂ）はＳＡＷフィルタ部の周波数特性を示し、（ｃ）はＢＰＦ部とＳＡＷフィルタ部の総合の特性を示す。
【図４】同上、チューナモジュールの他のシールド構造を説明する平面図である。
【図５】従来装置の一例の回路構成を示すブロック図である。
【図６】従来装置の一の例のＢＰＦ部及び２段のＳＡＷフィルタ部の周波数特性図であり、（ａ）はＢＰＦ部の特性を示し、（ｂ）は１段目のＳＡＷフィルタの周波数特性を示し、（ｃ）は２段目のＳＡＷフィルタの周波数特性を示し、（ｄ）はＢＰＦ部及び２段のＳＡＷフィルタ部ＢＰＦの総合の特性特性を示す。
【符号の説明】
【００５６】
２ｂ  チューナモジュール
２１ｂ    ＲＦ・ＩＦ変換回路部
２２ｂ    バンドパスフィルタ（ＢＰＦ）部
２３ｂ    アナログテレビ放送の受信回路
２４ｂ    表面弾性波（ＳＡＷ）フィルタ部
Ｓ    シールド板
【図１】
2008085879.tif 000004
【図２】
2008085879.tif 000005
【図３】
2008085879.tif 000006
【図４】
2008085879.tif 000007
【図５】
2008085879.tif 000008
【図６】
2008085879.tif 000009